(57)【要約】【課題】ソーチェーンの交換作業の際にガイドバーを本体ケーシングに安定した状態で着脱できるようにする。【解決手段】チェーンソー１０は、本体ケーシング１１内に収容された電動モータ２０と、本体ケーシング１１に着脱可能に取り付けられたバッテリパック３０と、本体ケーシングに設けられてバッテリパック３０を取り付けるための取付部１６と、本体ケーシング１１の左右方向の一方の側面前部に着脱可能に取り付けられたガイドバー２２と、ガイドバー２２の外周に沿って回転可能に張設されたソーチェーン２３と、本体ケーシング１１の左右方向の他方の側面から外側に突き出るように設けたサイドハンドル１３とを備え、本体ケーシング１１の左右方向の他方の側面にはバッテリパック３０を電動モータ２０に対して電気的に非導通状態で装着する装着部１７を設けた。【選択図】図４
2019166641.tif 000002
【特許請求の範囲】
【請求項１】
本体ケーシング内に収容された電動モータと、
前記本体ケーシングに着脱可能に取り付けられ、前記電動モータに給電するバッテリパックと、
前記本体ケーシングに設けられ、前記電動モータと電気的に接続される電気コネクタを有して前記バッテリパックを取り付けるための取付部と、
前記本体ケーシングの左右方向の一方の側面前部に着脱可能に取り付けられて、前方に突出するように設けたガイドバーと、
前記ガイドバーの外周に沿って回転可能に張設されて、前記電動モータの作動によって前記ガイドバーソーの外周に沿って回転するソーチェーンと、
前記本体ケーシングの左右方向の他方の側面から外側に突き出るように設けたサイドハンドルとを備えたチェーンソーであって、
前記本体ケーシングの左右方向の他方の側面には前記バッテリパックを前記電動モータに対して電気的に非導通状態で装着する装着部を設けたことを特徴とするチェーンソー。
【請求項２】
請求項１に記載のチェーンソーにおいて、
前記装着部に取り付けたときの前記バッテリパックの左右方向の他方の端面が、前記サイドハンドルの左右方向の他方の端縁と左右方向で同じ位置に配置されるように、前記装着部の左右方向の長さを設定したことを特徴とするチェーンソー
【請求項３】
請求項１または２に記載のチェーンソーにおいて、
前記装着部には前記バッテリパックをスライド移動可能に装着するためのレールを設けたことを特徴とするチェーンソー。
【発明の詳細な説明】
【技術分野】
【０００１】
本発明は、バッテリパックから給電される電動モータによってソーチェーンを回転させるチェーンソーに関する。
【背景技術】
【０００２】
特許文献１にはチェーンソーの発明が開示されている。このチェーンソーは、本体ケーシング内に収容された電動モータと、本体ケーシングの後部に着脱可能に取り付けられ、電動モータに給電するバッテリパックと、本体ケーシングの後部に設けられ、電動モータと電気的に接続される電気コネクタを有してバッテリパックを取り付けるための取付部と、本体ケーシングの右側面前部に着脱可能に取り付けられて、前方に突出するように設けたガイドバーと、ガイドバーの外周に沿って回転可能に張設されて、電動モータの作動によってガイドバーの外周に沿って回転するソーチェーンとを備えている。また、本体ケーシングの上部にはトップハンドルと、本体ケーシングの前部には左側に突出するサイドハンドルが設けられており、作業者はトップハンドルとサイドハンドルを把持して木の枝等の伐採作業を行うようにする。
【先行技術文献】
【特許文献】
【０００３】
【特許文献１】特開２０１０−２６９４９２号公報
【発明の概要】
【発明が解決しようとする課題】
【０００４】
上記の特許文献１のチェーンソーでは、ガイドバーの外周に沿って回転するソーチェーンを木の枝等の被切断物に押し付けるようにして木の枝等の被切断物を切断する。ソーチェーンは木の枝等の被切断物を切断することで徐々に摩耗するため、ソーチェーンを定期的に交換する必要がある。ソーチェーンを交換するときには、本体ケーシングの右側面が上側なるように横に倒し、本体ケーシングの右側面からガイドバーとともにソーチェーンを取り外すようにする。本体ケーシングの右側面が上側となるように横に倒したときに、本体ケーシングの左側にはサイドハンドルが外側に突き出るようになっているので、本体ケーシングを水平な作業台に安定して載置できなく、ソーチェーンの交換作業の際のガイドバーの着脱作業の作業性が良くない問題があった。本発明は、ソーチェーンの交換作業の際に、ガイドバーを本体ケーシングに安定した状態で着脱できるようにすることを目的とする。
【課題を解決するための手段】
【０００５】
上記課題を解決するために、本発明は、本体ケーシング内に収容された電動モータと、本体ケーシングに着脱可能に取り付けられ、電動モータに給電するバッテリパックと、本体ケーシングに設けられ、電動モータと電気的に接続される電気コネクタを有してバッテリパックを取り付けるための取付部と、本体ケーシングの左右方向の一方の側面前部に着脱可能に取り付けられて、前方に突出するように設けたガイドバーと、ガイドバーの外周に沿って回転可能に張設されて、電動モータの作動によってガイドバーソーの外周に沿って回転するソーチェーンと、本体ケーシングの左右方向の他方の側面から外側に突き出るように設けたサイドハンドルとを備えたチェーンソーであって、本体ケーシングの左右方向の他方の側面にはバッテリパックを電動モータに対して電気的に非導通状態で装着する装着部を設けたことを特徴とするチェーンソーを提供するものである。
【０００６】
上記のように構成したチェーンソーにおいては、本体ケーシングの左右方向の他方の側面にはバッテリパックを電動モータに対して電気的に非導通状態で装着する装着部を設けたので、ソーチェーンの交換作業をするときに、バッテリパックを装着部に装着した状態で、本体ケーシングの左右方向の一方の側面を上側となるように水平な作業台で横に倒したときに、本体ケーシングの左右方向の他方はサイドハンドルとバッテリパックの２カ所で水平な作業台で接地されるようになり、横に倒した本体ケーシングを水平な作業台で安定した状態で置くことができるようになった。また、バッテリパックは取付部から取り外されて装着部に取り付けられるため、ソーチェーンの交換作業をするときに、電動モータにバッテリパックから誤って給電されるのを防ぐことができ、ソーチェーンの交換作業をするときの安全性を向上させることができた。
【０００７】
上記のように構成したチェーンソーにおいては、装着部に取り付けたときのバッテリパックの左右方向の他方の端面が、サイドハンドルの左右方向の他方の端縁と左右方向で同じ位置に配置されるように、装着部の左右方向の長さを設定するのが好ましい。このようにしたときには、本体ケーシングの左右方向の一方の側面を上側となるように水平な作業台で横に倒したときに、本体ケーシングの左右方向の一方の側面が水平になり、ソーチェーンの交換作業の作業性を良好とすることができた。
【０００８】
上記のように構成したチェーンソーにおいては、装着部にはバッテリパックをスライド移動可能に装着するためのレールを設けるのが好ましい。このようにしたときには、バッテリパックを装着部に装着しやすくできた。
【図面の簡単な説明】
【０００９】
【図１】本発明のチェーンソーの右側面図である。
【図２】図１のチェーンソーの左側面図である。
【図３】バッテリパックを装着部に装着させて、本体ケーシングの右側面が上側となるように横に倒して作業台に載置したときの側面図である。
【図４】バッテリパックを装着部に装着させて、本体ケーシングの右側面が上側となるように横に倒して作業台に載置したときの正面図である。
【発明を実施するための最良の形態】
【００１０】
以下、本発明のチェーンソーの一実施形態を図面を参照して説明する。図１に示したように、チェーンソー１０は、本体ケーシング１１と、本体ケーシング１１内に収容された電動モータ２０と、本体ケーシング１１の後部に着脱可能に取り付けられるバッテリパック３０と、本体ケーシング１１の後部にてバッテリパック３０を取り付けるための取付部１６とを備えている。
【００１１】
図１及び図２に示したように、本体ケーシング１１の上部には前後に延びるトップハンドル１２と、本体ケーシング１１の前部から前後方向の中間部にはサイドハンドル１３が設けられている。トップハンドル１２の前部下面にはトリガスイッチ１４が設けられており、トリガスイッチ１４はオン操作によって後述する電動モータ２０を作動させる。サイドハンドル１３は本体ケーシング１１側に開いた横に倒した略Ｕ字形をし、本体ケーシング１１の左側面（他方の側面）から外側に突き出るように設けられている。サイドハンドル１３は長手方向の略中間部に直線部１３ａを備え、サイドハンドル１３の直線部１３ａは本体ケーシング１１の左側面と平行になっている。
【００１２】
図１に示したように、本体ケーシング１１の前後方向の中間部には電動モータ２０が収容されており、電動モータ２０の出力軸２０ａは本体ケーシング１１の右側面から外側に突出している。電動モータ２０の出力軸２０ａにはスプロケット２１が取り付けられている。本体ケーシング１１の右側面の前部には前方に突出する板状のガイドバー２２の基端部が着脱可能に取り付けられている。ガイドバー２２の外周とスプロケット２１との間にはソーチェーン２３が張設されており、ソーチェーン２３はスプロケット２１の回転によってガイドバー２２の外周を回転する。本体ケーシング１１の右側面の前部から前後の中間部にはスプロケットカバー１５が着脱可能に設けられており、スプロケットカバー１５はスプロケット２１及びガイドバー２２の基端部を覆っている。
【００１３】
図１、図３及び図４に示したように、本体ケーシング１１の後部にはバッテリパック３０の取付部１６が設けられている。取付部１６はバッテリパック３０を電動モータ２０に電気的に接続する電気コネクタ部１６ａを備えており、バッテリパック３０は電気コネクタ部１６ａによって電動モータ２０に電気的に接続される。取付部１６には左右に延びる前後一対のレール１６ｂが設けられており、バッテリパック３０の取付面にはレール１６ｂに係合する係合部（図示省略）が設けられている。バッテリパック３０は係合部（図示省略）をレール１６ｂに沿って移動させることで左右にスライド移動して着脱される。
【００１４】
図２に示したように、本体ケーシング１１の左側面（左右方向の他方の側面）にはバッテリパック３０を電動モータ２０に対して非導通状態で装着する装着部１７が設けられている。装着部１７はバッテリパック３０を本体ケーシング１１の左側面から突き出るように装着するようにしたものである。本体ケーシング１１の右側面を上側となるように横に倒したときに、本体ケーシング１１の下側（通常時の本体ケーシング１１の左側）は装着部１７に装着されたバッテリパック３０とサイドハンドル１３とが水平な作業台Ｗに接地されるようになり、本体ケーシング１１は作業台Ｗに安定して載置されるようになる。装着部１７には取付部１６のような電気コネクタ部１６ａが設けられてなく、バッテリパック３０は装着部１７に装着された状態で電動モータ２０に対して電気的に接続されてない状態となっている。装着部１７には前後に延びる上下一対のレール１７ａが設けられており、バッテリパック３０は係合部（図示省略）をレール１７ａに沿って移動させることで前後に移動して着脱される。
【００１５】
上記のように構成したチェーンソー１０を使用するときには、作業者が右手でトップハンドル１２を把持し、左手でサイドハンドル１３を把持し、右手の手指でトップハンドル１２に設けたトリガスイッチ１４を操作して電動モータ２０を作動させる。スプロケット２１が電動モータ２０の作動によって回転し、ソーチェーン２３が回転するスプロケット２１によってガイドバー２２の外周に沿って回転する。作業者はソーチェーン２３が回転するガイドバー２２を木の枝に押し付けると、木の枝がガイドバー２２の外周に沿って回転するソーチェーン２３によって切断される。
【００１６】
ソーチェーン２３は木の枝を継続的に切断することで摩耗するため、ソーチェーン２３を定期的に交換する必要がある。ソーチェーン２３を交換するときには、バッテリパック３０を取付部１６から取り外し、バッテリパック３０を本体ケーシング11の左側で装着部１７に装着する。本体ケーシング１１の左側には略Ｕ字形に屈曲した棒形状のサイドハンドル１３が外側に突き出ているが、本体ケーシング１１の装着部１７にバッテリパック３０を装着することで、本体ケーシング１１の左側はサイドハンドル１３と装着部１７に装着されたバッテリパック３０の２つが外側に突き出るようになる。
【００１７】
図３及び図４に示したように、ガイドバー２２の取り付けられている右側面（一方の側面）が上側となるように本体ケーシング１１を水平な作業台Ｗで横に倒したときに、サイドハンドル１３の直線部１３ａが横に倒した本体ケーシング１１の下側（通常時の本体ケーシング１１の左側）で水平な作業台Ｗに接地され、装着部１７に装着されたバッテリパック３０は作業台Ｗに接地されたサイドハンドル１３を支える台座として機能する。このため、横に倒した本体ケーシング１１の下側（通常時の本体ケーシング１１の左側）はサイドハンドル１３とバッテリパック３０との２箇所が作業台Ｗに接地され、横に倒したチェーンソー１０は作業台Ｗの上側で安定して載置されるようになる。この状態で、横に倒したチェーンソー１０の上面（通常時の本体ケーシング１１の右側面前部）に取り付けたスプロケットカバー１５を取り外し、本体ケーシング１１に取り付けたガイドバー２２をソーチェーン２３とともに取り外す。ガイドバー２２を横に倒したチェーンソー１０の上面（通常時の本体ケーシング１１の右側面前部）に取り付けながら、新しいソーチェーン２３をガイドバー２２の外周とスプロケット２１との間で張設して取り付け、スプロケットカバー１５を横に倒したチェーンソー１０の上面（通常時の本体ケーシング１１の右側面前部）に取り付ける。
【００１８】
上述したように、このチェーンソー１０においては、本体ケーシング１１の右側面（左右方向の一方の側面）前部にはソーチェーン２３が張設されたガイドバー２２の基端部が着脱可能に取り付けられている。また、本体ケーシング１１の左側にはサイドハンドル１３が突き出るように設けられているのに対応させて、本体ケーシング１１の左側面（左右方向の他方の側面）にはバッテリパック３０を電動モータ２０に対して電気的に非導通状態で装着する装着部１７を設けた。ソーチェーン２３の交換作業をするときに、バッテリパック３０を装着部１７に装着した状態で、本体ケーシング１１の右側面を上側となるように水平な作業台Ｗで横に倒すと、本体ケーシング１１の下側（通常時の本体ケーシング１１の左側）はサイドハンドル１３とバッテリパック３０の２カ所で水平な作業台Ｗで接地されるようになる。このように、サイドハンドル１３とバッテリパック３０との２箇所が水平な作業台に接地されるため、横に倒したチェーンソー１０は水平方向にぐらつくことなく載置されるようになり、ソーチェーン２３の交換作業をするときにガイドバー２２の本体ケーシング１１への着脱作業を安定して行うことができるようになった。また、バッテリパック３０を取付部１６から取り外して装着部１７に取り付けたときに、電動モータ２０はバッテリパック３０に電気的に接続されないようになり、ソーチェーン２３の交換作業をするときに、電動モータ２０にバッテリパック３０から誤って給電されるのを防ぐことができ、ソーチェーン２３の交換作業をするときの安全性を向上させることができた。
【００１９】
また、装着部１７に取り付けたときのバッテリパック３０の左側（左右方向の他方）の端面が、サイドハンドル１３の左側（左右方向の他方）の端縁である直線部１３ａと左右方向で同じ位置に配置されるように、装着部１７の左右方向の長さを設定している。これによって、本体ケーシング１１の左側面（左右方向の一方の側面）を上側となるように水平な作業台で横に倒したときに、本体ケーシング１１の右側面（左右方向の一方の側面）が水平になり、ソーチェーン２３の交換作業の作業性を良好とすることができた。
【００２０】
また、装着部１７にはバッテリパック３０をスライド移動可能に装着するためのレール１７ａが設けられており、バッテリパック３０をレール１７ａに沿ってスライド移動させるだけで装着部１７に装着できるので、バッテリパック３０を装着部１７に装着しやすくできた。なお、装着部１７はレール１７ａに沿ってスライド移動させるものに限られるものでなく、装着部１７は本体ケーシング１１の左側面に形成した凹部によって構成し、バッテリパック３０を凹部に嵌合させて装着する嵌合部としたものであってもよい。
【符号の説明】
【００２１】
１０…チェーンソー、１１…本体ケーシング、１３…サイドハンドル、１６…取付部、１７…装着部、１７ａ…レール２０…電動モータ、２２…ガイドバー、２３…ソーチェーン、３０…バッテリパック。
【図１】
2019166641.tif 000003
【図２】
2019166641.tif 000004
【図３】
2019166641.tif 000005
【図４】
2019166641.tif 000006